(57)【要約】  装置（Ｄ）が、通信端末（Ｔ）に伝送されるべきマルチメディアコンテンツを管理するために設けられる。この装置（Ｄ）は、伝送されるべきマルチメディアコンテンツのストリームがある場合に、あらかじめ定義されたプロファイルにそれぞれが関連付けられている、および場合によってはこのストリーム内に少なくとも部分的に含まれる補完的コンテンツのセットの中から、ならびにそのプロファイルの少なくとも一部に関する少なくとも１つの基準に応じて、このストリームの選択されたポイントに挿入されるべき補完的コンテンツをリアルタイムに決定することを担う管理手段（ＭＧ）を含む。
2010530685.tif 000002
【特許請求の範囲】
【請求項１】
通信端末（Ｔ）に伝送されなければならないマルチメディアコンテンツを管理するための装置（Ｄ）であって、伝送されるべきマルチメディアコンテンツストリームがある場合に、あらかじめ定義されたプロファイルにそれぞれが関連付けられている、および場合によっては前記ストリーム内に少なくとも部分的に含まれる補完的コンテンツのセットの中から、ならびにプロファイルの少なくとも一部に関係がある少なくとも１つの基準に基づいて、前記ストリームの選択された位置に挿入されるべき補完的コンテンツ（追加および／または代用コンテンツ）をリアルタイムに（動的に）決定する作業を担当する管理手段（ＭＧ）を含み、前記管理手段（ＭＧ）が、場合によっては、前記プロファイルの少なくとも一部に関係がある少なくとも１つの基準に基づくだけでなく、所与の瞬間に前記ストリームのマルチメディアコンテンツのうちのいくつかを使用しているユーザの「概数」を表す情報にも基づいて、挿入されるべき前記補完的コンテンツを決定する作業を担当することを特徴とする、装置。
【請求項２】
前記管理手段（ＭＧ）が、第２補完的コンテンツによってすでに占有されているストリーム内の選択されたポイントに挿入されるべき第１補完的コンテンツを決定する場合、前記第２補完的コンテンツが前記第１補完的コンテンツに置換されるよう命令するように構成されていることを特徴とする、請求項１に記載の装置。
【請求項３】
前記管理手段（ＭＧ）が、それぞれがキューに関連付けられた複数のサブセットの中から選択された補完的コンテンツのサブセットの中から、前記選択されたサブセットに対応する少なくとも１つの選択された基準に基づいて、所与のストリーム内に挿入されるべきそれぞれの補完的コンテンツを選択するように構成されていることを特徴とする、請求項１から２のいずれか一項に記載の装置。
【請求項４】
前記プロファイルが、少なくとも１つの目標地理的位置、提示された価格、ブロードキャスティング時間、少なくとも１つの目標識別子、ユーザプロファイルの少なくとも１つの部分、コンテンツの時間の長さ、および目標ユーザの概数を含む群から選択された情報を含むことを特徴とする、請求項１から３のいずれか一項に記載の装置。
【請求項５】
前記基準が、少なくとも１つの地理的位置基準、１つの価格基準、１つの時間基準、識別子のリストへの１つの所属基準、ユーザプロファイルの少なくとも一部への１つのマッチング基準、コンテンツの時間の長さの１つの基準、および１つの目標ユーザ数基準（視聴者）を含む群から選択されることを特徴とする、請求項１から４のいずれか一項に記載の装置。
【請求項６】
それらの関連プロファイルにマッチングさせるために、挿入されるべき前記補完的コンテンツのうちの少なくともいくつかを格納するように構成された格納手段（ＭＳ）を含むことを特徴とする、請求項１から５のいずれか一項に記載の装置。
【請求項７】
前記補完的コンテンツのうちの少なくともいくつかが広告コンテンツであることを特徴とする、請求項１から６のいずれか一項に記載の装置。
【請求項８】
前記補完的コンテンツのうちの少なくともいくつかがメッセージであることを特徴とする、請求項１から７のいずれか一項に記載の装置。
【請求項９】
請求項１から８のいずれか一項に記載の管理装置（Ｄ）を含むことを特徴とする、コンテンツサーバ（ＳＣ）。
【発明の詳細な説明】
【技術分野】
【０００１】
本発明は、マルチメディアコンテンツ伝送インフラストラクチャによる、通信端末へのマルチメディアコンテンツの伝送に関する。
【０００２】
本明細書では、「マルチメディアコンテンツ」は、テレビジョンまたはラジオ番組、場合によっては広告、データファイル、あるいはオーディオまたはビデオファイルなどの、同じタイプのデータのセットを指す。
【０００３】
さらに、本明細書では「マルチメディアコンテンツ伝送インフラストラクチャ」という用語は、通信ネットワークかブロードキャスティングネットワークのいずれかを指す。
【０００４】
最後に、本明細書では「通信端末」という用語は、少なくともマルチメディアコンテンツ伝送インフラストラクチャ（場合によっては無線）からマルチメディアコンテンツを受信できる、どのような固定または移動（あるいは携帯用またはセルラー式の）通信装置も指す。したがって通信端末は、場合によっては無線または衛星を利用した通信手段を装備していれば、マルチメディアコンテンツを受信できる、たとえば固定あるいは移動（またはセルラー式）電話、デスクトップまたはラップトップコンピュータ、携帯情報端末（すなわちＰＤＡ）、マルチメディアコンテンツ受信機（たとえば復号器、住居用ゲートウェイ、またはＳＴＢ（セットトップボックス））でよい。
【背景技術】
【０００５】
通常、マルチメディアコンテンツは、ストリーム内の正しい順序で（すなわち予定時間通りに）受信通信端末に伝送される。ストリームのプログラミングが一旦確立されると、そのストリームのマルチメディアコンテンツは、時間間隔のセットにそれぞれ関連付けられる。その際、ストリームのプログラミングを変更すること、たとえば、すぐに伝送されなければならないマルチメディアコンテンツを他のマルチメディアコンテンツに置換（または代用）すること、あるいは、すぐに伝送されなければならない２つのマルチメディアコンテンツの間に（マルチメディア）コンテンツを挿入することは困難である。
【０００６】
とくに広告の分野で、たとえば（視聴者についての即時的な知識の結果）より柔軟にまたはより応答性がよくなるように、このような改良は興味深いことが分かり得る。
【発明の概要】
【発明が解決しようとする課題】
【０００７】
したがって本発明の目的は、ストリーム内のマルチメディアコンテンツの挿入および置換の管理ができるようにすることである。
【課題を解決するための手段】
【０００８】
そのために本発明は、通信端末に伝送されなければならないマルチメディアコンテンツを管理することに使用され、伝送されるべきマルチメディアコンテンツストリームがある場合に、あらかじめ定義されたプロファイルにそれぞれが関連付けられている、および場合によってはストリーム内に少なくとも部分的に含まれる補完的コンテンツのセットの中から、ならびにそのプロファイルの少なくとも一部に関係がある少なくとも１つの基準に基づいて、そのストリームの選択された位置に挿入されるべき補完的コンテンツ（追加および／または代用コンテンツ）をリアルタイムに（動的に）決定する作業を担当する管理手段を含む装置であって、これらの管理手段が、場合によっては、そのプロファイルの少なくとも一部に関係がある少なくとも１つの基準に基づくだけでなく、所与の瞬間にストリームのマルチメディアコンテンツのうちのいくつかを使用しているユーザの「概数」を表す情報にも基づいて（すなわち即時的な視聴者データに基づいて）、挿入されるべき補完的コンテンツを決定する作業を担当する装置を開示する。
【０００９】
通信端末に伝送されなければならないマルチメディアコンテンツを管理するための装置は、伝送すべきマルチメディアコンテンツストリームがある場合に、あらかじめ定義されたプロファイルにそれぞれが関連付けられている、および場合によっては前記ストリーム内に少なくとも部分的に含まれる補完的コンテンツのセットの中から、ならびに前記プロファイルの少なくとも１つの部分に関係がある少なくとも１つの基準に基づいて、前記ストリームの選択されたポイントに挿入されるべき補完的コンテンツをリアルタイムに決定するように構成された管理手段を含み、前記管理手段は、前記プロファイルの少なくとも一部に関係がある少なくとも１つの基準、および所与の瞬間に前記ストリームのマルチメディアコンテンツのうちのいくつかを使用しているユーザの「概数」を表す情報にも基づいて、挿入されるべき前記補完的コンテンツを決定するように構成されている。
【００１０】
本発明の装置は、別々にまたは組み合わせて取り入れることができる他の諸特徴を含んでよい。とくに：
−  これらの管理手段は、第２コンテンツによってすでに占有されているストリームの選択された位置に挿入されるべき第１代用コンテンツを決定する場合、第２コンテンツを第１代用コンテンツと置換（または代用）するよう命令する作業を担当してよい。
−  これらの管理手段は、それぞれがキューに関連付けられた複数のサブセットの中から選択された補完的コンテンツのサブセットの中から、その選択されたサブセットにマッチングする少なくとも１つの選択された基準に基づいて、選択された所与のストリーム内に挿入されるべきそれぞれの補完的コンテンツを選択する作業を担当してよい。
−  プロファイルは、（少なくとも）目標地理的位置、価格スケジュール、ブロードキャスティング時間、少なくとも１つの目標識別子、少なくとも１つのユーザプロファイル部分、コンテンツの時間の長さ、および目標ユーザ（視聴者）の概数の中から選択された情報を含んでよい。
−  基準は、たとえば、（少なくとも）地理的位置基準、価格基準、時間基準、識別子のリストへの所属基準、ユーザプロファイルの少なくとも一部へのマッチング基準、コンテンツの時間の長さの基準、および目標ユーザ数基準（視聴者）の中から選択されてよい。
−  本発明の装置は、それらの関連プロファイルにマッチングする、挿入されるべき補完的コンテンツのうちの少なくともいくつかを格納する作業を担当する格納手段を含んでよい。
−  補完的コンテンツのうちの少なくともいくつかは、たとえば広告コンテンツでよい。
−  補完的コンテンツのうちの少なくともいくつかは、たとえばメッセージでよい。
【００１１】
本発明は、上記で簡潔に説明した管理装置を装備するサーバも開示する。
【００１２】
本発明の他の諸特徴および諸利点は、以下の詳細な説明および添付の図面を読めば明らかになるだろう。添付の図面では、唯一の図面（図１）が、本発明の管理装置の例示的実施形態を装備し、通信端末が接続されるマルチメディアコンテンツ伝送インフラストラクチャに接続されたコンテンツサーバを含む、例示的な通信設備を非常に概略的に示している。
【００１３】
添付の図面は本発明を完全なものにする役割を果たすだけではなく、必要とあれば本発明を定義することにも役立つ。
【００１４】
本発明の特定の目的は、サービスプロバイダが、少なくとも１つのマルチメディアコンテンツ伝送インフラストラクチャを介して通信端末に伝送されなければならない、マルチメディアコンテンツストリーム内のマルチメディアコンテンツの挿入および置換を管理できるようにすることである。
【００１５】
以下では、非限定的な例として、通信端末Ｔは移動（セルラー式）電話であると仮定する。しかし、本発明はこの種類の通信端末に限定されない。本発明は、むしろ少なくとも１つのマルチメディアコンテンツ伝送インフラストラクチャからマルチメディアコンテンツを受信できる、どのような種類の固定または移動（あるいは携帯用またはセルラー式の）通信装置にも関する。したがって通信端末は、場合によっては無線または衛星を利用した通信手段を装備し、配信されたマルチメディアコンテンツを少なくとも受信でき、および場合によってはピアツーピアモードでデータを交換できる、たとえば固定あるいは移動（またはセルラー式）電話、デスクトップまたはラップトップコンピュータ、携帯情報端末（すなわちＰＤＡ）、マルチメディアコンテンツ受信機（たとえば復号器、またはＳＴＢ（「セットトップボックス」）でもよく、住居用ゲートウェイなどのＣＰＥ（「加入者宅内機器」））でもよい。
【００１６】
さらに以下では、非限定的な例として、マルチメディアコンテンツ伝送インフラストラクチャは、配信できるＵＭＴＳネットワーク（たとえばＭＢＭＳ（「マルチメディアブロードキャスティング／マルチキャストサービス」ネットワークの略）、またはその発展であるＬＴＥ（「ロングタームエボリューション」）と呼ばれるもの）などの移動（セルラー式）通信ネットワークであると仮定する。しかし、本発明はこの種類のインフラストラクチャに限定されない。本発明は、むしろ有線または無線（地上波および／または衛星）の両方の通信ネットワーク、および有線または無線（地上波および／または衛星）の両方のブロードキャスティングネットワークに関する。したがって、本発明は、ｘＤＳＬあるいはファイバーまたはケーブルネットワークなどの固定ネットワークでもよく、Ｔ−ＤＭＢネットワーク、衛星ネットワーク（たとえば、ＳＤＭＢネットワーク（「衛星デジタルマルチメディアブロードキャスティング」の略）、あるいはＳ−ＵＭＴＳまたはＳＤＲ（「衛星デジタルラジオ」））、ＤＶＢ−Ｈネットワーク（「デジタルビデオブロードキャスティング−手持ち式」の略、−移動テレビ）などの無線でよい地上波ネットワークでもよく、衛星技術から得た技術を実装している地上波ネットワーク（ＤＶＢ−Ｓ、ＤＶＢ−Ｓ２、またはＤＶＢ−ＲＣＳなど）でもよく、ハイブリッドネットワーク、すなわち衛星および地上波の両方を利用した、ＤＶＢ−ＳＨネットワーク（衛星が地上波中継とリンクしている）などのネットワークでもよい。
【００１７】
当業者に知られているどのようなマルチメディアコンテンツ伝送技法、とくに連続ブロードキャスティング（すなわち「ストリーミング」）技法、電波を介する公共ブロードキャスティング技法（衛星および／または地上波手段による）、電波を介するサービスプロバイダ中継技法（衛星および／または地上波手段による）、およびプッシュビデオオンデマンド技法（すなわち、「プッシュ型ＶｏＤ」−それぞれのブロードキャスティング日の一定期間前に、マルチメディアコンテンツを伝送すること）なども使用されてよい点に留意されたい。
【００１８】
さらに以下では、非限定的な例として、端末Ｔへのマルチメディアコンテンツブロードキャスティングはテレビまたはラジオ番組および広告（またはコマーシャル）を含むと仮定する。しかし、本発明はこれらのタイプのマルチメディアコンテンツに限定されない。本発明は、むしろどのようなタイプのマルチメディアコンテンツにも関し、とくにビデオ、オーディオコンテンツ、およびダウンロードされるべきアプリケーションに関する。
【図面の簡単な説明】
【００１９】
【図１】管理装置の例示的実施形態を装備し、通信端末が接続されるマルチメディアコンテンツ伝送インフラストラクチャに接続されたコンテンツサーバを含む、例示的な通信設備を非常に概略的に示している。
【発明を実施するための形態】
【００２０】
唯一の図面（図１）において概略的に示されるように、本発明の制限は、マルチメディアコンテンツを管理することに使用される少なくとも１つの装置Ｄ、（場合によっては異なるタイプの）通信端末Ｔ、コンテンツサーバ（ＳＣ）、および少なくとも１つのマルチメディアコンテンツ伝送インフラストラクチャＩＴの存在を要する。
【００２１】
コンテンツサーバＣＳは、インフラストラクチャＩＴにストリームの形でマルチメディアコンテンツを提供する作業を担当し、そのマルチメディアコンテンツは、あらかじめ定義されたプログラミングに従って、端末Ｔのうちの少なくともいくつかに伝送されなければならない。ここでは、各ストリームは主要なマルチメディアコンテンツ（たとえばテレビ番組）、および２つの主要なマルチメディアコンテンツの間の選択されたポイントに配置された「コンテンツブレイク」内の所々に挿入された補完的マルチメディアコンテンツ（たとえば広告コンテンツ）で構成される。ストリームは、たとえば、同じテレビ番組が同時に多数のユーザにブロードキャスティングされ、メッセージまたはコマーシャルのブロードキャスティングに使用されるあらかじめ定義された長さの時間間隔（または広告ブレイク）によって相互に分離される「リニアＩＰＴＶ」（リニアモードでＩＰを介するテレビジョン）である点に留意されたい。
【００２２】
ある補完的マルチメディアコンテンツは、ブロードキャスティング局（または広告主）が１人または複数のユーザに伝送したいと願うメッセージ、場合によっては個人的メッセージでよい点に留意されたい。たとえば、メッセージは、検査交換のために製品リコールを意図するものでもよく、試験、デモンストレーション、または試写会への招待を意図するものでもよい。
【００２３】
ストリームの一部を形成する主要なマルチメディアコンテンツは、マルチメディアコンテンツベースＭＣ（ここでは内部のものだが、外部のものでもよい）などの、マルチメディアコンテンツの少なくとも１つのソース、またはマルチメディアコンテンツを配信する（たとえばライブで配信する）装置から得られる。
【００２４】
ストリームの一部を形成する補完的マルチメディアコンテンツは、たとえばコンテンツサーバＳＣおよび／または他のソース（マルチメディアコンテンツベースＢＣ、あるいは他のローカルまたは遠隔格納手段など）の一部を形成する格納手段ＭＳから得られる。
【００２５】
マルチキャストモードで伝送されなければならない（たとえば全国的ブロードキャスティングのために）マルチメディアコンテンツ（主要な、および／または補完的）を第１格納手段内に格納し、ユニキャストモードで伝送されなければならない（たとえば地域的またはローカルブロードキャスティングのために）マルチメディアコンテンツ（主要な、および／または補完的）を第２格納手段に格納できる場合もある点に留意されたい。
【００２６】
コンテンツサーバＳＣは、マルチメディアコンテンツプロビジョニングモジュールＭＦ、および制御モジュールＭＣを含む。プロビジョニングモジュールＭＦは、ＭＣ制御モジュールによって指定された主要なマルチメディアコンテンツおよび補完的マルチメディアコンテンツで、マルチメディアコンテンツフローを作成する作業を担当する。そうするために、プロビジョニングモジュールＭＦは、たとえばマルチメディアコンテンツベースＢＣおよび格納手段ＭＳにアクセスする。それぞれのストリームのマルチメディアコンテンツは、ピアツーピア（または「ユニキャスト」モードで）、あるいはピアツーマルチピア（または「マルチキャスト」モード）でそれらのコンテンツをブロードキャスティングできるように、プロビジョニングモジュールＭＦによってインフラストラクチャＩＴに提供される。
【００２７】
各ストリームの構成（またはプログラミング）、すなわち、選択された時間間隔の間にそれぞれのストリーム内で伝送されなければならない順序付けられた一連の主要なマルチメディアコンテンツ（テレビ番組など）、および前記フローの主要なマルチメディアコンテンツの間の選択されたポイント（時点）に位置するコンテンツブレイク内の所々に挿入されるようにすでに作られたどのような補完的マルチメディアコンテンツ（広告コンテンツなど）もリアルタイムに通知されるように、装置Ｄは制御モジュールＭＣに接続される。
【００２８】
装置Ｄは、ストリームの構成（またはプログラミング）の知識を考慮して、そのストリームの選択されたポイント（時点）に挿入されなければならない補完的マルチメディアコンテンツ（ここでは広告コンテンツ）をリアルタイムに（動的に）決定する作業を担当する管理モジュールＭＧを含む。この決定は、それぞれがあらかじめ定義されたプロファイル（またはテンプレート）に関連付けられる補完的マルチメディアコンテンツのセットの中から、およびそのプロファイルの少なくとも一部に関係がある少なくとも１つの基準に基づいて行われる。
【００２９】
この補完的マルチメディアコンテンツのセットは、格納手段ＭＳおよび／またはコンテンツベースＢＣから来る（および当該のストリーム内にプログラムされた場合がある）補完的マルチメディアコンテンツで構成されてよい点に留意されたい。言い換えれば、管理モジュールＭＧは、広告コンテンツ（追加コンテンツと呼ばれる）をストリームのテレビ番組の間に提供されるブレイク内に挿入してもよく、そのストリームにおけるブレイク内の最初のプログラミングによって提供される広告コンテンツを他の広告コンテンツ（代用と呼ばれる）と置換（または代用）してもよい。
【００３０】
図示された例では、装置ＤはコンテンツサーバＳＣの一部である。しかし、これは必須ではない。実際、装置ＤはコンテンツサーバＳＣに接続されてもよい。さらに、図示された例では、格納手段ＭＳは、装置Ｄの外部にありながらコンテンツサーバＳＣの一部を形成する。しかし、これは必須ではない。実際、格納手段ＭＳは装置Ｄの一部を形成してもよく、コンテンツサーバＳＣの外部にあってもよい。
【００３１】
これが望ましいが、プロファイルは、必ずしもそれぞれがプロファイルに関連付けられる広告コンテンツとのマッチングとして格納されなくてもよい。重要なことは、ストリームの選択されたポイント（時点）に挿入される必要があるだろう広告コンテンツをリアルタイムに決定できるように、管理モジュールＭＧが広告コンテンツのプロファイルにアクセスできることである。
【００３２】
上記に示したように、この決定は、プロファイルの少なくとも一部に関係がある少なくとも１つの基準に基づいて行われる。しかし、補完的役割として、現在ストリームのあるテレビ番組（主要なマルチメディアコンテンツ）を使用しているユーザの概数を表す情報に基づいて決定が行われてよい。通常、即時視聴者データと呼ばれるこの情報は、たとえばＩＴインフラストラクチャに接続される検出装置ＥＤによって決定されてよい。この情報により、所与の瞬間にさまざまな番組の中から所与の番組を視聴しているユーザ数をほぼリアルタイムに知ることができるようになる。この情報は、一旦取得されると、どの広告コンテンツを挿入または置換するべきかを決定する際に装置Ｄがこの情報を考慮できるように、たとえば検出装置ＥＤによって装置Ｄに伝送されてよい。
【００３３】
広告（または補完的）コンテンツのプロファイル（またはテンプレート）は、条件を定義するどのようなタイプの情報も含んでよい。使用できる情報（または条件）は以下のものを含んでよい：
−  目標地理的位置。この条件は、１つの広告コンテンツの広告主が到達したい地理的領域を定義する。この位置は、全国的、地域的、ローカルでもよく、個人のものでもよい。
−  提示された価格。この条件は、１つの広告コンテンツの広告主が、そのコンテンツがブロードキャスティングされるために支払う用意がある価格を定義する。
−  ブロードキャスティング時間。この条件は、１つの広告コンテンツの広告主が、そのコンテンツをブロードキャスティングしてほしいと願う時間を定義する。ある時間の目的は、単純にあるタイプのユーザに到達することであってよい。しかし、ある時間の目的は、ユーザがコマーシャルを視聴した後でコールセンターがユーザからの電話に出る用意ができている時間と一致してもよい。
−  少なくとも１つの目標識別子。この条件は、１つの広告コンテンツの広告主がそのコンテンツを伝送したい、少なくとも１人のユーザまたは端末識別子（たとえば、ＩＰアドレスまたは電話番号）のセットを定義する。たとえば、広告主（たとえば会社）は識別されたユーザに、彼らの以前の買い物のうちのいくつかに対応する製品（または商品）に関する広告を伝送したいと願うかもしれない。
−  ユーザプロファイルの少なくとも一部。この条件は、たとえば、ユーザの性別、年齢層、あるいは１つまたは複数の嗜好または習慣などの、ユーザを定義する１つまたは複数の特徴を定義する。
−  コンテンツの時間の長さ。この条件は、１つの広告コンテンツを視聴するのにかかる正確な時間の長さを定義する。１つの広告コンテンツが長すぎる（または短すぎる）場合、ある時間帯では伝送が不可能な場合がある。
−  目標ユーザの概数（または数の範囲）。この条件は、１つの広告コンテンツについて広告主によって求められている視聴者を定義する。
【００３４】
プロファイル（またはテンプレート）を定義するために使用される情報（または条件）と関係があれば、基準はどのような種類のものでもよい。使用できる基準はとくに以下のものを含んでよい：
−  地理的位置基準。この基準は、ストリームのマルチメディアコンテンツがブロードキャスティングされなければならない地理的領域（全国的、地域的、ローカル、または個人）を定義する。
−  価格基準。この基準は、２つの所与の番組の間の所与のブレイクの間に１つの広告コンテンツをブロードキャスティングすることの価格を定義する。
−  利用可能基準。この基準は、１つまたは複数の広告コンテンツをブロードキャスティングするために予約された時間を定義する。
−  識別子のリストへの所属基準。この基準は、ストリームを受信するユーザまたは端末の少なくとも１つの識別子のセットを定義する。
−  ユーザプロファイルの少なくとも一部へのマッチング基準。この基準は、挿入または代用されなければならない補完的コンテンツの受信者であるユーザのプロファイルにマッチングしなければならないプロファイルまたはプロファイルの一部を定義する。
−  コンテンツの時間の長さの基準。この基準は、２つの所与の番組の間の所与のブレイクの間に、１つの広告コンテンツのために予約された時間の長さを定義する。
−  目標ユーザ数の基準。この基準は、２つの所与の番組の間の所与のブレイクの間に、１つの広告コンテンツを視聴できると思われるユーザの概数（または数の範囲）を定義する。この基準は、検出装置ＤＤから受信した視聴者データに基づいて動的に定義されてよい。
【００３５】
非限定的な例として、管理モジュールＭＧは、所与の瞬間に、目標地理的位置、価格、および目標ユーザ数の３つの基準の組合せに基づいて決定を行うように構成されてよい。必然的に、管理モジュールＭＧは、他の所与の瞬間に、広告コンテンツと関連するプロファイルに関係がある少なくとも１つの基準の他の何らかの組合せに基づいて決定を行うように再構成されてよい。
【００３６】
補完的マルチメディアコンテンツのサブセットが定義されてよく、それぞれのサブセットが、少なくとも１つの特定のプロファイル、または少なくとも１つの特定のプロファイルの少なくとも１つの特定の部分に対応し、次いで特定のサブセット内に挿入または代用されるように、１つまたは複数の補完的マルチメディアコンテンツがサブセットのコンテンツプロファイルに関係がある基準に基づいて選択されてよい点に留意されたい。たとえば、それぞれが異なるサブセットに関連付けられたキュー（またはリスト）が定義されてよく、次いで、キュー（またはリスト）内で、１つまたは複数のストリーム内に挿入または代用されるように、そのストリームの広告主が支払うと提示した価格に基づいて１つまたは複数の補完的マルチメディアコンテンツが次いで選択されてよい。
【００３７】
管理モジュールが、所与のストリームのブレイク（少なくとも部分的に空である）内に１つの広告コンテンツを挿入すると決定すると、１つまたは複数の基準および場合によっては視聴者情報に基づいて、管理モジュールは制御モジュールＣＭにその広告コンテンツの指示、およびその広告コンテンツが保管されているアドレス、ならびにその広告コンテンツを所与のストリームブレイクに挿入するための命令を伝送する。次いで、制御モジュールＣＭはプログラミングを完了させて、この完了したプログラミングをプロビジョニングモジュールＭＦに提供し、次いで、プロビジョニングモジュールＭＦは当該格納手段（ＭＳまたはＢＣ）から広告コンテンツ（プログラミングに追加されている）を、それがプログラムされている瞬間以前に抽出する作業を担当する。
【００３８】
上記に示したように、管理モジュールＭＧは、ある瞬間に、１つまたは複数の基準、および場合によっては視聴者情報に基づいて、第１広告コンテンツを、ストリームの選択されたポイント（時点）で最初にプログラムされた第２広告コンテンツと置換しなければならないと推定できる。この状況では、管理モジュールＭＧは、第１広告コンテンツの指示、およびその第１広告コンテンツが保管されているアドレス、ならびに第２広告コンテンツの指示、ならびに所与のストリーム内の選択されたポイントでブロードキャスティングされなければならない第２広告コンテンツを第１広告コンテンツと置換する命令を、制御モジュールＣＭに伝送する。制御モジュールＭＣはプログラミングを変更して、この新しいプログラミングをプロビジョニングモジュールＭＦに提供し、次いで、プロビジョニングモジュールＭＦは当該格納手段（ＭＳまたはＢＣ）の広告コンテンツを、それぞれのプログラムされた時間以前に抽出する作業を担当する。
【００３９】
異なる受信者を有するストリームは、管理モジュールＭＧの要求に応じて、主要なマルチメディアコンテンツ（ここではテレビ番組）の全く同じプログラミングだが、異なる補完的マルチメディアコンテンツ（ここでは広告コンテンツ）を含んでよい点に留意することが重要である。言い換えれば、管理モジュールＭＧは、主要なマルチメディアコンテンツの所与のプログラミングを有するあるストリームの補完的コンテンツのプログラミングを、完全にまたは部分的に編集する、あるいは完了し、主要なマルチメディアコンテンツの同じ所与のプログラミングを有する他のストリームの補完的コンテンツのプログラミングを変更しないままにすると決定してよい。したがって、とくにリニアテレビの状況で、すべてのユーザに同じテレビ番組（主要なマルチメディアコンテンツ）のセットをブロードキャスティングできるだけでなく、特別に選択された（たとえば、あらかじめ定義されたキュー（またはリスト）の中から）補完的マルチメディアコンテンツ（コマーシャル）を、最初にプログラムされたマルチメディアコンテンツのうちの少なくともいくつかの代わりに代用することによって、少なくとも１人のユーザの選択されたグループに、それぞれのユーザのプロファイルに応じて選択的にブロードキャスティングすることもできる。
【００４０】
本発明の管理装置Ｄ、およびとくに管理モジュールＭＧは、電子回路、ソフトウェア（またはコンピューティング）モジュールの形で構成されてもよく、回路とソフトウェアの組合せの形で構成されてもよい。
【００４１】
本発明は、上述の管理装置およびマルチメディアコンテンツサーバの実施形態に限定されるものではなく、それらは例示的なものとしてのみ与えられており、むしろ本発明は、当業者が以下の特許請求の範囲内で想像しうるすべての変形形態を包含する。
【図１】
2010530685.tif 000003
【国際調査報告】
2010530685.tif 000004
2010530685.tif 000005
2010530685.tif 000006
2010530685.tif 000007
2010530685.tif 000008
2010530685.tif 000009